(57)【要約】【課題】清掃用具、特に含油清掃用具が化学繊維を含む場合でも、再汚染がなく、優れた洗浄性が得られる洗浄方法を提供する。【解決手段】特定の洗浄剤組成物を希釈媒体で希釈して得られる第１の洗浄媒体を、清掃用繊維製品と接触させる第１の工程を有する清掃用繊維製品の洗浄方法であって、前記第１の洗浄媒体の２０℃における電気伝導度（ＥＣ１）と前記希釈媒体の２０℃における電気伝導度（ＥＣ２）の差〔（ＥＣ１）−（ＥＣ２）〕が、２５００μＳ／ｃｍ以下である洗浄方法。【選択図】  なし【特許請求の範囲】
【請求項１】
非イオン界面活性剤を含有する洗浄剤組成物を含む一種以上の洗浄剤組成物を希釈媒体で希釈して得られる第１の洗浄媒体を、清掃用繊維製品と接触させる第１の工程を有する清掃用繊維製品の洗浄方法であって、前記第１の洗浄媒体の２０℃における電気伝導度（ＥＣ１）と前記希釈媒体の２０℃における電気伝導度（ＥＣ２）の差〔（ＥＣ１）−（ＥＣ２）〕が、２５００μＳ／ｃｍ以下である洗浄方法。
【請求項２】
非イオン界面活性剤が、下記一般式（Ｉ）で表される非イオン界面活性剤である請求項１記載の洗浄方法。
Ｒ１−Ｏ−（ＥＯ）ｐ−（ＰＯ）ｑ−（ＥＯ）ｒ−Ｈ            （Ｉ）
〔式中、Ｒ１は平均炭素数８〜１８のアルキル基又はアルケニル基又はアルコキシ基を示し、ＥＯはオキシエチレン基、ＰＯはオキシプロピレン基を示す。ｐ、ｑ、ｒは、それぞれ平均付加モル数であり、ｐ≧０、ｑ＝０〜４．５、ｒ≧０である。ただし、ｐ、ｑ、ｒが同時に０になることはない。〕
【請求項３】
前記第１の洗浄媒体が、更に脂肪酸塩及びカルボン酸系ポリマーから選ばれる１種以上を含有する請求項１又は２記載の洗浄方法。
【請求項４】
前記清掃用繊維製品が、アクリル繊維を含む請求項１〜３の何れか１項記載の洗浄方法。
【請求項５】
前記第１の工程の後に、更に、前記第１の洗浄媒体とは異なる第２の洗浄媒体を繊維製品と接触させる第２の工程を有する請求項１〜４の何れか１項記載の洗浄方法。
【請求項６】
非イオン界面活性剤を含有する清掃用繊維製品洗浄剤組成物であって、該清掃用繊維製品洗浄剤組成物をイオン交換水で１００倍希釈した希釈物の２０℃における電気伝導度が５００μＳ／ｃｍ以下である清掃用繊維製品洗浄剤組成物。
【請求項７】
非イオン界面活性剤が、下記一般式（Ｉ）で表される非イオン界面活性剤である請求項６記載の洗浄剤組成物。
Ｒ１−Ｏ−（ＥＯ）ｐ−（ＰＯ）ｑ−（ＥＯ）ｒ−Ｈ            （Ｉ）
〔式中、Ｒ１は平均炭素数８〜１８のアルキル基又はアルケニル基又はアルコキシ基を示し、ＥＯはオキシエチレン基、ＰＯはオキシプロピレン基を示す。ｐ、ｑ、ｒは、それぞれ平均付加モル数であり、ｐ≧０、ｑ＝０〜４．５、ｒ≧０である。ただし、ｐ、ｑ、ｒが同時に０になることはない。〕
【請求項８】
更に脂肪酸塩及びカルボン酸系ポリマーから選ばれる１種以上を含有する請求項６又は７記載の洗浄剤組成物。
【発明の詳細な説明】
【０００１】
【発明の属する技術分野】
本発明は、繊維製品の洗浄方法及び洗浄剤組成物に関し、特にダストコントロールの分野で用いられる繊維製品、例えば、店舗、オフィス、ホテル等の玄関マットやフロアマット、あるいはフロアクリーニング用モップ等の清掃用繊維製品の洗浄方法及び洗浄剤組成物に関する。
【０００２】
【従来の技術】
油、泥、ほこり等の微細な粒子汚れを捕捉、保持して生活環境を向上させるダストコントロールの分野では、ダストを捕捉、保持するための油剤が含浸されたモップ、クロス、マット等の繊維を含む含油清掃用具が使用されるが、ダストがさほど多くない場合には、含油しない清掃用具も使用される。具体的には、店舗、オフィス、ホテル等で用いられる玄関マットやフロアーマット、フロアークリーニング用のモップ等が挙げられる。
【０００３】
これら含油清掃用具は、通常、使用−洗浄−油剤加工（再生処理）という一連の工程を経て、繰り返し使用される。このような繰り返し使用は、現在世界的に問題となっている環境汚染や資源浪費等を防止するという観点から非常に重要である。
【０００４】
このような含油清掃用具においては、泥等の汚れが大量に共存するため、リン酸塩等のビルダーを含有する洗浄剤が使用されている。また、マットやモップには、汚れを吸着させるため流動パラフィンが主成分の油剤が塗布されており、この油剤の除去に関しては、非イオン界面活性剤が有効であるとされている。前述のリン酸塩は、非イオン界面活性剤の担体としても有効であり、従来は、リン酸塩を含有する洗浄剤を用いた洗浄方法が主流を占めていた。しかし、環境への配慮や製造トラブルの解消などの観点から、徐々にリン酸塩を使用しない方向での検討がされてきている。
【０００５】
このような背景から特許文献１には、非石鹸系アニオン界面活性剤、無機塩類、２価金属イオン捕捉剤を含有する、実質的にリン酸塩及びアルミノシリケートを含まない洗浄剤組成物が開示されている。また、特許文献２には、特定の非イオン性高分子化合物と少量の非イオン界面活性剤とを含有する水性乳化液体からなる洗浄性能強化剤組成物が開示されている。
【０００６】
【特許文献１】
特開２００２−１９４３９７号公報
【特許文献２】
特開２００２−１６７５９６号公報
【０００７】
【発明が解決しようとする課題】
しかしながら、前記文献記載の手段では、含油清掃用具が化学繊維（合成繊維）、特にアクリル繊維を含む場合、泥等の粒子汚れ成分が再汚染し、洗浄性が著しく低下してしまう。
【０００８】
本発明の課題は、清掃用具、特に含油清掃用具が化学繊維（合成繊維）、特にアクリル繊維を含む場合でも、再汚染がなく、優れた洗浄性が得られる洗浄方法及び洗浄剤組成物を得ることである。
【０００９】
【課題を解決するための手段】
本発明は、非イオン界面活性剤を含有する洗浄剤組成物を含む一種以上の洗浄剤組成物を希釈媒体で希釈して得られる第１の洗浄媒体を、清掃用繊維製品と接触させる第１の工程を有する清掃用繊維製品の洗浄方法であって、前記第１の洗浄媒体の２０℃における電気伝導度（ＥＣ１）と前記希釈媒体の２０℃における電気伝導度（ＥＣ２）の差〔（ＥＣ１）−（ＥＣ２）〕が、２５００μＳ／ｃｍ以下である洗浄方法に関する。
【００１０】
また、本発明は、非イオン界面活性剤を含有する清掃用繊維製品洗浄剤組成物であって、該清掃用繊維製品洗浄剤組成物をイオン交換水で１００倍希釈した希釈物の２０℃における電気伝導度が５００μＳ／ｃｍ以下である清掃用繊維製品洗浄剤組成物に関する。
【００１１】
【発明の実施の形態】
ダストコントロールの分野で用いられる繊維製品は、通常、回転ドラム式の洗濯機を用いて高温洗浄が行われる。また、その際に、用いられる洗浄剤にはキレート剤やアルカリ剤等のビルダー成分が配合され、洗浄媒体はアルカリ性が高くなる。
【００１２】
＜第１の洗浄媒体＞
本発明に用いられる第１の洗浄媒体は、非イオン界面活性剤を含有する洗浄剤組成物を含む一種以上の洗浄剤組成物を希釈媒体で希釈して得られる。本発明では、泥等の粒子汚れ成分の再汚染を防止し、洗浄性を向上するために、当該第１の洗浄媒体の２０℃における電気伝導度（ＥＣ１）と前記希釈媒体の２０℃における電気伝導度（ＥＣ２）の差〔（ＥＣ１）−（ＥＣ２）〕が、２５００μＳ／ｃｍ以下、好ましくは１０００μＳ／ｃｍ以下、より好ましくは３〜５００μＳ／ｃｍ、更に好ましくは３〜１００μＳ／ｃｍ、特に好ましくは３〜５０μＳ／ｃｍである。ここで、電気伝導度は、横河電機（株）製電気伝導度計ＭＯＤＥＬ  ＳＣ８２により測定される。また、希釈媒体は、水、有機溶媒等が挙げられ、水はイオン交換水、水道水、地下水等を使用することができる。希釈媒体の少なくとも９５重量％は水であることが好ましい。通常、電気伝導度の値は、ＥＣ１＞ＥＣ２となる。
【００１３】
第１の洗浄媒体は、非イオン界面活性剤を含有する。非イオン界面活性剤としては、下記一般式（Ｉ）で表される非イオン界面活性剤が好ましい。
Ｒ１−Ｏ−（ＥＯ）ｐ−（ＰＯ）ｑ−（ＥＯ）ｒ−Ｈ            （Ｉ）
〔式中、Ｒ１は平均炭素数８〜１８のアルキル基又はアルケニル基又はアルコキシ基を示し、ＥＯはオキシエチレン基、ＰＯはオキシプロピレン基を示す。ｐ、ｑ、ｒは、それぞれ平均付加モル数であり、ｐ≧０、ｑ＝０〜４．５、ｒ≧０である。ただし、ｐ、ｑ、ｒが同時に０になることはない。〕
【００１４】
一般式（Ｉ）中、Ｒ１は平均炭素数１０〜１４のアルキル基、アルコキシ基、更にアルキル基が好ましく、ｑは０〜２が好ましく、ｐ＋ｒは４〜１５が好ましい。一般式（Ｉ）の非イオン界面活性剤の具体例として、ポリオキシエチレン（６）ラウリルエーテル、ポリオキシエチレン（７）−ｓｅｃ−アルキル（炭素数１２〜１４）エーテル、ポリオキシエチレン（３）ポリオキシプロピレン（１．５）ポリオキシエチレン（３）ラウリルエーテル、ポリオキシエチレン（１２）ラウリン酸エステル等が挙げられる。ここで、当該化合物に関し（  ）内はエチレンオキサイド又はプロピレンオキサイドの平均付加モル数である（以下同様）。
【００１５】
第１の洗浄媒体は、更に脂肪酸塩及びカルボン酸系ポリマーから選ばれる１種以上を含有することが好ましい。
【００１６】
脂肪酸塩としては、炭素数８〜１８の脂肪酸のアルカリ金属塩が好ましく、具体的には、カプリル酸、ラウリン酸、ミリスチン酸、パルミチン酸、ステアリン酸、オレイン酸等のアルカリ金属塩、特にナトリウム塩、カリウム塩が好ましい。
【００１７】
また、カルボン酸系ポリマーとしては、アクリル酸、マレイン酸、αーヒドロキシアクリル酸等の不飽和カルボン酸のホモポリマー、アクリル酸とマレイン酸のコポリマー等が挙げられる。特に、モノマーとしてアクリル酸、マレイン酸及びαーヒドロキシアクリル酸を含むものが好ましい。カルボン酸系ポリマーは一部又は全部が塩となっていてもよい。また、カルボン酸系ポリマーの重量平均分子量は１０００〜１００００、更に３０００〜８０００が好ましい。
【００１８】
第１の洗浄媒体は、上記成分以外に、（１）エタノール等のアルコール類及びエチレングリコール、プロピレングリコール等のグリコール類、（２）パラトルエンスルホン酸又はその塩、安息香酸又はその塩、尿素等の減粘剤や可溶化剤（防腐剤としての効果を持つものもある）、（３）相調整、洗浄力向上のためのポリオキシアルキレンベンジルエーテル、ポリオキシアルキレンフェニルエーテル、（４）ポリビニルピロリドン等の色移り防止剤、（５）蛍光染料、（６）柔軟性付与を目的としたシリコーン、（７）消泡剤としてのシリカ、シリコーン、（８）香料、抗菌防腐剤等を含有することができる。
【００１９】
＜洗浄方法＞
本発明の洗浄方法は、上記特定の第１の洗浄媒体を、清掃用繊維製品と接触させる第１の工程を有する。
【００２０】
第１の洗浄媒体は、非イオン界面活性剤を０．０１〜１重量％、更に０．０２〜０．２重量％含有することが好ましい。このような比率となるように第１の洗浄媒体は非イオン界面活性剤を含有することが好ましい。
【００２１】
また、脂肪酸塩を含有する場合は、第１の洗浄媒体中、０．００１〜０．１重量％、更に０．００２〜０．０２重量％が好ましい。このような比率となるように第１の洗浄媒体は脂肪酸塩を含有することが好ましい。
【００２２】
また、カルボン酸系ポリマーを含有する場合は、第１の洗浄媒体中、０．００１〜０．０５重量％、更に０．００２〜０．０２重量％が好ましい。このような比率となるように第１の洗浄媒体はカルボン酸系ポリマーを含有することが好ましい。
【００２３】
なお、第１の洗浄媒体に配合される成分は、一括添加しても、別々に添加してもいずれでもよい。
【００２４】
本発明では、第１の洗浄媒体は、５〜８０℃、更に５〜６０℃で繊維製品と接触させることが好ましい。
【００２５】
本発明の洗浄方法の対象となる繊維製品は、ダストコントロールの分野で用いられる繊維製品、例えば、店舗、オフィス、ホテル等の玄関マットやフロアマット、あるいはフロアクリーニング用モップ等の清掃用繊維製品が挙げられ、更に清掃用含油繊維製品、清掃用含油マット、清掃用含油モップ等が挙げられる。これら繊維製品は、合成繊維、天然繊維の何れを含むものであってもよく、工業的には合成繊維を含むものが汎用されており、本発明の方法は特にアクリル繊維を含むものに好適である。
【００２６】
本発明の洗浄方法は、第１の工程の後に、更に、第１の洗浄媒体とは異なる第２の洗浄媒体を、繊維製品と接触させる第２の工程を有することが好ましい。すなわち、一般に、ダストコントロールの分野では、回収された繊維製品は、砂落とし、予備洗浄、本洗浄、染色、油含浸等の処理工程を経て再利用される。本発明の第１の工程は、予備洗浄として好適であり、本発明の第２の工程は本洗浄として好適である。
【００２７】
第２の工程で用いられる第２の洗浄媒体の調製に用いられる洗浄剤組成物は、通常、ダストコントロールの分野で用いられるものを使用でき、洗浄条件も通常のものが採用できる。
【００２８】
＜洗浄剤組成物＞
本発明は、非イオン界面活性剤を含有する清掃用繊維製品洗浄剤組成物であって、該清掃用繊維製品洗浄剤組成物をイオン交換水で１００倍希釈した希釈物の２０℃における電気伝導度が５００μＳ／ｃｍ以下である清掃用繊維製品洗浄剤組成物に関する。上記本発明の洗浄方法に用いられる第１の洗浄媒体は、かかる洗浄剤組成物を希釈して調製されることが好ましい。
【００２９】
清掃用繊維製品洗浄剤組成物は、第１の洗浄媒体で記載したような非イオン界面活性剤や、脂肪酸塩及びカルボン酸系ポリマーから選ばれる１種以上を含有する。また、必要に応じて、（１）エタノール等のアルコール類及びエチレングリコール、プロピレングリコール等のグリコール類、（２）パラトルエンスルホン酸又はその塩、安息香酸又はその塩、尿素等の減粘剤や可溶化剤（防腐剤としての効果を持つものもある）、（３）相調整、洗浄力向上のためのポリオキシアルキレンベンジルエーテル、ポリオキシアルキレンフェニルエーテル、（４）ポリビニルピロリドン等の色移り防止剤、（５）蛍光染料、（６）柔軟性付与を目的としたシリコーン、（７）消泡剤としてのシリカ、シリコーン、（８）香料、抗菌防腐剤等を含有することができる。
【００３０】
この洗浄剤組成物の希釈前の好ましい組成の一例は次の通りである。
非イオン界面活性剤      １〜９５重量％
脂肪酸塩                ０〜１０重量％
カルボン酸系ポリマー    ０〜１０重量％
水                          残部
【００３１】
また、かかる洗浄剤組成物は、該組成物をイオン交換水で１００倍希釈した希釈物の２０℃における電気伝導度が５００μＳ／ｃｍ以下であり、電気伝導度が４００μＳ／ｃｍ以下、更に３００μＳ／ｃｍ以下、特に１００μＳ／ｃｍ以下であることが好ましい。
【００３２】
上記洗浄剤組成物を水と混合することで、本発明に係る第１の洗浄媒体が得られるが、第１の洗浄媒体は上記洗浄剤組成物０．０５〜３重量％と残部の水を含有することが好ましい。
【００３３】
【作用機作】
本発明によれば、ダストコントロールの分野で用いられる繊維製品、例えば、店舗、オフィス、ホテル等の玄関マットやフロアマット、あるいはフロアクリーニング用モップ等の清掃用繊維製品を洗浄する際の再汚染が防止され、且つ優れた洗浄効果を示す洗浄方法及び洗浄剤組成物が得られる。
【００３４】
本発明の洗浄方法により優れた再汚染防止性と洗浄性が得られる理由は明確ではないが、本発明のような繊維製品の洗浄における泥粒子の再汚染を考える場合、再汚染防止性は、泥粒子と繊維の静電的反発力が大きく寄与し、電気二重層の厚さは塩濃度に反比例するというＤＬＶＯ理論とも矛盾しない。本発明の方法で用いられる洗浄媒体は、非イオン界面活性剤及び水を含有し電気伝導度が２５００μＳ／ｃｍ以下であるため、塩濃度が適正となり、泥粒子等の再汚染が防止できるものと考えられる。
【００３５】
【実施例】
表１の組成を有する第１の洗浄媒体（残部は水）を用いて再汚染防止性と洗浄性を以下の方法で評価した。結果を表１に示す。
【００３６】
（１）再汚染防止性
アクリルモスリン（染色試材（株）谷頭商店製）を６ｃｍ×６ｃｍに裁断し、２５℃で粘度１４０ｍＰａ・ｓの鉱物油に含浸させ、調製布とした。
【００３７】
６０℃、１Ｌの水道水に、表１の成分を表１の比率で投入し、第１の洗浄媒体とし、これに鹿沼赤土２．５ｇを入れてターゴトメータ（回転数８０ｒ／ｍｉｎ）にて５分間撹拌、分散させ汚染液を調製した。
【００３８】
この汚染液に、調製布を入れ、ターゴトメータ（回転数８０ｒ／ｍｉｎ）にて予備洗浄を６０℃で５分間行い、次いで、ランエースＰ−５１〔花王（株）製〕を２ｇ／Ｌの濃度で用いて本洗浄を６０℃で５分間行い、すすぎ１分、脱水、プレス乾燥を行った。
【００３９】
洗浄後の試験布の４６０ｎｍにおける反射率を自己色彩計（島津製作所製）にて測定し、下記式により再汚染防止率を算出した。
再汚染防止率（％）＝〔（汚染後の反射率）／（原布の反射率）〕×１００
【００４０】
（２）洗浄性
アクリルモスリン（染色試材（株）谷頭商店製）を６ｃｍ×６ｃｍに裁断し、２５℃で粘度１４０ｍＰａ・ｓの鉱物油に含浸させ、更に鹿沼赤土を付着させて汚染布を調製した。以下、上記再汚染防止性の評価と同様に、第１の洗浄媒体を調製し、予備洗浄、本洗浄、すすぎ、脱水、プレス乾燥を行った。洗浄後の汚染布を目視観察し、以下の基準で評価した。
◎：汚れ落ちがはっきりとわかる。
○：汚れ落ちがわかる。
×：汚れ落ちがわからない。
【００４１】
【表１】
2004313968.tif 000002
【００４２】
（注）
表１中の成分は、以下の通りである。
・ａ−１：ポリオキシエチレン（３）ポリオキシプロピレン（１．５）ポリオキシエチレン（３）ラウリルエーテル
・ｂ−１：ポリアクリル酸ナトリウム（重量平均分子量３０００）の４０重量％水溶液
【００４３】
実施例８〜１０
清掃用繊維製品洗浄剤組成物の一例を表２に示す。尚、電気伝導度は、各清掃用繊維製品洗浄剤組成物をイオン交換水にて１００倍希釈した希釈物の２０℃における電気伝導度である。
【００４４】
【表２】
2004313968.tif 000003
【００４５】
【発明の効果】
本発明によれば、清掃用具、特に含油清掃用具が化学繊維（合成繊維）、特にアクリル繊維を含む場合でも、再汚染がなく、優れた洗浄性が得られる、清掃用繊維製品の洗浄方法及び洗浄剤組成物が提供される。